(57)【特許請求の範囲】
【請求項１】
第１の発光手段を備えた発光装置を着脱することができる撮像装置であって、発光位置と収納位置とを移動できる第２の発光手段と、
ユーザによって操作されることで、前記第２の発光手段を移動させることができる操作部と、
前記操作部が操作された際に前記発光装置が前記撮像装置に取り付けられているか、否かを判定する第１の判定手段と、
前記第１の発光手段の設定に関する第１の画面、または前記第２の発光手段の設定に関する第２の画面を表示手段に表示させる制御をおこなう表示制御手段と、
を有し、
前記表示制御手段は、ユーザにより前記操作部が操作されたことに応じて前記第１の画面または前記第２の画面を前記表示手段に表示可能であって、
前記表示制御手段は、前記第１の判定手段によって前記発光装置が前記撮像装置に取り付けられていると判定された場合に前記操作部が操作されたことに応じて前記第１の画面を前記表示手段に表示させることを特徴とする撮像装置。
【請求項２】
前記操作部が操作された際の前記第２の発光手段の位置を検出する検出手段を有し、
前記表示制御手段は、前記第１の判定手段によって前記発光装置が前記撮像装置に取り付けられていないと判定された場合であって、前記検出手段によって前記第２の発光手段が前記発光位置に位置していることを検出した場合に前記操作部が操作されたことに応じて前記表示手段に前記第２の画面を表示させることを特徴とする請求項１に記載の撮像装置。
【請求項３】
前記操作部が操作された際に前記第１の発光手段および前記第２の発光手段の設定ができないモードが設定されているか、否かを判定する第２の判定手段を有し、
前記表示制御手段は、前記第２の判定手段によって前記第１の発光手段および前記第２の発光手段の設定ができないモードが設定されていると判定された場合に、前記操作部が操作されたことに応じて前記表示手段に前記第１の発光手段または前記第２の発光手段の設定ができない旨の画面を表示させる制御をおこなうことを特徴とする請求項１又は２に記載の撮像装置。
【請求項４】
前記操作部が操作された際に前記第１の発光手段および前記第２の発光手段の発光が可能な設定であるか否かを判定する第３の判定手段を有し、
前記表示制御手段は、前記第３の判定手段によって前記第１の発光手段および前記第２の発光手段の発光が可能な設定であると判定された場合に、前記操作部が操作されたことに応じて前記発光の可否を設定するための画面を表示することを特徴とする請求項１乃至３の何れか一項に記載の撮像装置。
【請求項５】
前記第１の判定手段によって前記発光装置が前記撮像装置に取り付けられていないと判定された場合であって、前記検出手段によって前記第２の発光手段が前記収納位置に位置していると検出した場合に前記操作部が操作されたことに応じて前記第２の発光手段を前記発光位置に移動させる制御をおこなう移動制御手段を有することを特徴とする請求項２に記載の撮像装置。
【請求項６】
前記表示制御手段は、前記第１の判定手段によって前記発光装置が前記撮像装置に取り付けられていると判定された場合は、前記第２の発光手段が前記収納位置に位置していたとしても前記操作部が操作されたことに応じて、前記第２の発光手段を前記発光位置へと移動させずに前記第１の画面を前記表示手段に表示させる制御をおこなうことを特徴とする請求項１乃至５の何れか一項に記載の撮像装置。
【請求項７】
前記操作部は、前記第２の発光手段を前記収納位置から前記発光位置へとポップアップさせるポップアップボタンであることを特徴とする請求項１乃至６の何れか一項に記載の撮像装置。
【請求項８】
前記第２の発光手段は、前記撮像装置に内蔵される発光装置であって、
前記発光位置は、前記第２の発光手段が前記撮像装置の外装から露出する位置であって、
前記収納位置は、前記第２の発光手段が前記撮像装置の外装内に隠れる位置であることを特徴する請求項１乃至７の何れか一項に記載の撮像装置。
【請求項９】
発光位置と収納位置とを移動できる第２の発光手段と、ユーザによって操作されることで前記第２の発光手段を移動させることができる操作部を備え、第１の発光手段を備えた発光装置を着脱することができる撮像装置の制御方法であって、
前記操作部が操作された際に前記発光装置が前記撮像装置に取り付けられているか、否かを判定する第１の判定工程と、
前記第１の発光手段の設定に関する第１の画面、または前記第２の発光手段の設定に関する第２の画面を表示手段に表示させる制御をおこなう表示制御工程と、
を有し、
前記表示制御工程は、ユーザにより前記操作部が操作されたことに応じて前記第１の画面または前記第２の画面を前記表示手段に表示可能であって、前記第１の判定工程によって前記発光装置が前記撮像装置に取り付けられていると判定された場合に前記操作部が操作されたことに応じて前記第１の画面を前記表示手段に表示させることを特徴とする撮像装置の制御方法。
【請求項１０】
請求項９に記載の撮像装置の制御方法をコンピュータに実行させるためのコンピュータで読み取り可能なプログラム。
【発明の詳細な説明】
【技術分野】
【０００１】
本発明は、発光手段の設定に関する画面を表示手段に表示させることができる撮像装置に関する。
【背景技術】
【０００２】
従来、発光手段の詳細な設定をおこなうための設定画面を表示手段に表示させることが知られている。そして、ユーザは、当該設定画面に基づいて発光手段の設定をおこなうことができる。
【０００３】
特許文献１では、表示部に表示されるメニューからストロボモード設定が選択された場合に、表示部にストロボに関する設定をおこなうためのストロボ選択メニューを表示する撮像装置について提案されている。
【先行技術文献】
【特許文献】
【０００４】
【特許文献１】特開２００５−２５０３９９号公報
【発明の概要】
【発明が解決しようとする課題】
【０００５】
しかしながら、特許文献１に記載の技術は、撮像装置の表示部に表示させたメニューの中から、撮像装置に備えられた十字キーを操作してストロボ選択メニューを表示部に表示させる必要がある。この場合、撮像装置の表示部に発光手段の設定画面を表示させるまでに、ユーザによる煩雑な操作が必要となってしまう。
【０００６】
本発明の目的は、ユーザによる煩雑な操作を必要とせずに、発光手段の設定に関する画面を表示させることである。
【課題を解決するための手段】
【０００７】
上記目的を達成する為の本発明の撮像装置は、第１の発光手段を備えた発光装置を着脱することができる撮像装置であって、発光位置と収納位置とを移動できる第２の発光手段と、ユーザによって操作されることで、前記第２の発光手段を移動させることができる操作部と、前記操作部が操作された際に前記発光装置が前記撮像装置に取り付けられているか、否かを判定する第１の判定手段と、前記第１の発光手段の設定に関する第１の画面、または前記第２の発光手段の設定に関する第２の画面を表示手段に表示させる制御をおこなう表示制御手段と、を有し、前記表示制御手段は、ユーザにより前記操作部が操作されたことに応じて前記第１の画面または前記第２の画面を前記表示手段に表示可能であって、前記表示制御手段は、前記第１の判定手段によって前記発光装置が前記撮像装置に取り付けられていると判定された場合に前記操作部が操作されたことに応じて前記第１の画面を前記表示手段に表示させることを特徴とする。
【発明の効果】
【０００８】
本発明によれば、ユーザによる煩雑な操作を必要とせずに、発光手段の設定に関する画面を表示させることができる。
【図面の簡単な説明】
【０００９】
【図１】本発明を実施した撮像装置の実施形態であるデジタルカメラ１００の構成を説明するブロック図である。
【図２】本発明を実施した撮像装置の実施形態であるデジタルカメラ１００のストロボ設定処理を説明するフローチャートである。
【図３】本発明を実施した撮像装置の実施形態であるカメラ１００の表示部に１１５に表示可能な画面を例示的に説明した図である。
【発明を実施するための形態】
【００１０】
本発明に係る実施形態としての撮像装置であるデジタルカメラ（以下、単にカメラと称す）１００について図１〜３を参照して説明する。以下、図１を参照してカメラ１００の基本構成について説明する。図１は、本発明を実施した撮像装置の実施形態であるカメラ１００の構成を説明するブロック図である。なお、後述する外部ストロボ２００は、カメラ１００に対して取り外しできる発光装置である。
【００１１】
撮影レンズ群１０１は、光軸シフトレンズやズームレンズ、フォーカスレンズを含む複数のレンズを有するレンズ群である。絞り１０２は、撮影レンズ群１０１を透過した光量を調節するための光量調節部材である。
【００１２】
レンズ制御部１０３は、撮影レンズ群１０１および絞り１０２の駆動を制御する制御部であって、後述するカメラ制御部（以下、ＣＰＵと称す）１１１によって制御される。なお、本実施形態では、撮影レンズ群１０１、絞り１０２、レンズ制御部１０３からなるレンズユニットが、カメラ１００に対して取り外し可能な、所謂レンズ交換式のデジタルカメラであるが、これに限定されるものではない。例えば、レンズユニットがカメラ１００と一体的に設けられているような構成であってもよい。
【００１３】
絞り１０２の後段には、シャッタ１０４と撮像素子１０６が設けられている。シャッタ１０４は、撮像素子１０６を露光状態と非露光状態とに切替えるための遮蔽部材である。
【００１４】
シャッタ制御部１０５は、シャッタ１０４の駆動を制御する制御部であって、後述するＣＰＵ１１１からの指示に応じて、シャッタ１０４の駆動を制御する。
【００１５】
なお、本実施形態では、シャッタ１０４の駆動を制御することで、被写体を撮像して取得する画像の露光時間（蓄積時間）を制御することができる。本実施形態では、所謂メカニカルシャッタであるシャッタ１０４の動作を制御するような構成であるが、所謂電子シャッタ方式を採用するような構成であってもよい。
【００１６】
撮像素子（撮像手段）１０６は、ＣＣＤやＣＭＯＳなどの固体撮像素子からなる電荷蓄積型の撮像素子であって、２次元的に撮像用の画素が配列されている。撮像素子１０６上に被写体の光学像が結像すると、当該光学像に対応した電荷の蓄積がおこなわれる。
【００１７】
撮像制御部１０７は、撮像素子１０６の動作を制御する制御手段であって、撮像素子１０６上に結像した被写体の光学像に応じたアナログ電気信号（アナログ画像データ）を撮像素子１０６から画像処理部１０８へと出力させる。撮像素子１０６から出力されたアナログ画像データは、不図示のＡＦＥ（Ａｎａｌｏｇ  Ｆｒｏｎｔ  Ｅｎｄ）でアナログゲイン量の調節やサンプリングが施された後に、Ａ／Ｄ変換部によってデジタル画像データに変換される。
【００１８】
画像処理部１０８は、撮像素子１０６から出力された画像データに対するリサイズ処理、色変換処理、測距制御用の演算処理などを行う処理部である。また、画像処理部１０８は、ＴＴＬ（Ｔｈｒｏｕｇｈ  ｔｈｅ  Ｌｅｎｓ）方式のＡＷＢ（Ａｕｔｏｍａｔｉｃ  Ｗｈｉｔｅ  Ｂａｌａｎｃｅ）処理やＡＦ（Ａｕｔｏｆｏｃｕｓ）処理、ＡＥ（Ａｕｔｏ  Ｅｘｐｏｓｕｒｅ）処理を行う。さらに、画像処理部１０８は、変換されたデジタル画像データに対するデジタルゲイン量の調整や、外部ストロボ２００を発光させる際の発光量の演算（調光演算）を行う。
【００１９】
メモリ１０９は、電気的に消去や記憶が可能な、フラッシュメモリ等に代表されるＥＥＰＲＯＭなどのメモリであって、本実施形態において使用される種々のデータが格納されている。例えば、メモリ１０９には、カメラ１００で実行されるプログラムや動作用の定数、種々の露出量（露出条件）、算出式、外部ストロボ２００の種類に関する情報などが格納されている。なお、カメラ１００で実行されるプログラムとは、後述する図２に示すフローと同様の動作を指示するプログラムである。
【００２０】
また、メモリ１０９は、ＤＲＡＭなどの記録素子によって構成される画像データの記録領域を有しており、所定枚数の静止画や所定時間の動画、音声データを記録することができる。すなわち、取得されたデジタル画像データを記録することができる。さらに、メモリ１０９は、画像表示用メモリ（ビデオメモリ）、ＣＰＵ１１１の作業領域、後述する記録媒体１１０の記録用バッファとしても使用される。メモリ１０９に記録されたデジタル画像データは、不図示のＤ／Ａ変換部において表示用のアナログ画像データへと変換されＬＣＤ等からなる表示部１１５に送信される。
【００２１】
記録媒体１１０は、メモリ１０９に記録されたデジタル画像データの記録が可能な記録媒体である。本実施形態の記録媒体１１０は、カメラ１００の本体内部に挿入されてカメラ１００と電気的に接続した状態において、ＣＰＵ１１１との通信が可能となる。なお、記録媒体１１０としては、カメラ１００に対して挿抜可能なメモリーカード等に限定されるものではなく、ＤＶＤ−ＲＷディスク等の光学ディスクやハードディスク等の磁気ディスクであってもよい。また、記録媒体１１０が取り外し可能ではなく、予めカメラ１００に内蔵されているような構成であってもよい。
【００２２】
ＣＰＵ１１１は、カメラ１００の全体的な動作を統括的に制御する制御手段である。例えば、ＣＰＵ１１１は、後述する内蔵ストロボ１１６や外部ストロボ２００の発光に関わる設定画面を、後述する表示部１１５に表示させる制御をおこなう表示制御手段である。
【００２３】
また、ＣＰＵ１１１は、後述する外部ストロボ２００がカメラ１００に取り付けられているか否かを判定する判定手段（第１の判定手段）でもある。さらに、ＣＰＵ１１１は、ストロボ状態検出部１１７の検出結果に応じて内蔵ストロボ１１６の発光に関わる制御をおこなう制御手段でもある。具体的には、ＣＰＵ１１１は内蔵ストロボ１１６の発光タイミングや内蔵ストロボ１１６の発光量に関する制御をおこなうことができる。
【００２４】
この他にＣＰＵ１１１は、レンズ制御部１０３やシャッタ制御部１０５、撮像制御部１０７、画像処理部１０８、メモリ１０９、後述する測光部１１２、電源制御部１１３などの制御がおこなうことができる。なお、ＣＰＵ１１１は、メモリ１０９に格納されているプログラムを実行し、当該プログラムの処理に応じたカメラ１００の内部の動作を制御することもできる。
【００２５】
測光部１１２は、複数の領域に分割された測光センサなどの測光手段である。前述した画像処理部１０８は、この測光部１１２から出力される信号に基づいて測光演算をおこない、各領域の測光値を取得する。なお、測光部１１２を設けずに、撮像素子１０６から出力される画像データに基づいて被写体の測光値を算出するような構成であってもよい。
【００２６】
電源部１１４は、アルカリ電池やリチウム電池等の一次電池、ＮｉＣｄ電池やＮｉＭＨ電池、Ｌｉ電池等の二次電池、或いは、ＡＣアダプター等であり、電源制御部１１３へ電力を供給する。電源制御部１１３は、ＤＣ−ＤＣコンバータ、通電ブロックを切り替えるスイッチ回路などから構成されている。そして、電源制御部１１３は、電源部１１４における電池の装着の有無、電池の種類、電池残量等を検出し、その検出結果及びＣＰＵ１１１の指示に基づいてＤＣ−ＤＣコンバータを制御して必要な電圧を必要な期間にカメラ１００の各部へと供給する。
【００２７】
表示部１１５は、ＣＰＵ１１１からの指示に応じて、受信した表示用のアナログ画像データ（スルー画像）を表示する表示手段である。また、表示部１１５は、外部ストロボ２００と内蔵ストロボ１１６の発光に関する設定をおこなうための設定画面を表示することができる表示手段である。本実施形態では、後述する外部ストロボ２００に関する設定をおこなう際の設定画面（第１の画面）と、内蔵ストロボ１１６に関する設定をおこなう際の設定画面（第２の画面）を別々に表示部１１５に表示することができる。この詳細については後述する。
【００２８】
さらに、表示部１１５は、後述する内蔵ストロボ１１６や外部ストロボ２００に関わるエラー画面や、ストロボの発光の可否を設定するための画面を表示する表示手段である。この詳細についても後述する。
【００２９】
内蔵ストロボ１１６は、被写体を照明するための発光をおこなう発光手段（第２の発光手段）であって、カメラ１００内部の収納位置とカメラ１００から突出した発光位置とを移動することができる。そして、内蔵ストロボ１１６は、内蔵ストロボ１１６の位置（が発光位置にある場合に発光が可能である。
【００３０】
ストロボ状態検出部１１７は、内蔵ストロボ１１６の位置を検出するための検出手段である。本実施形態では、後述するポップアップボタン１１８がユーザによって操作された際の内蔵ストロボ１１６の位置を検出し、当該検出の結果をＣＰＵ１１１に送信する。
【００３１】
ポップアップボタン１１８は、ユーザによって操作されることで内蔵ストロボ１１６の位置を移動させることができる操作部である。本実施形態のポップアップボタン１１８は、ユーザによって押圧されることで所定の信号をＣＰＵ１１１に送信する。そして、ＣＰＵ１１１は、当該所定の信号を受信したことに応じて、不図示の移動部材によって内蔵ストロボ１１６の位置を移動させる。すなわち、ポップアップボタン１１８は、ユーザの押圧によって、ＣＰＵ１１１を介して間接的に内蔵ストロボ１１６の位置を移動させることができる。
【００３２】
なお、ユーザによるポップアップボタン１１８の押圧に応じた内蔵ストロボ１１６の位置動作としてはこれに限定されるものではない。例えば、ポップアップボタン１１８が機械的に構成された操作部であって、ユーザがポップアップボタン１１８を押圧することで、内蔵ストロボ１１６の機械的なロックが解除されるような構成であってもよい。この場合、内蔵ストロボ１１６のロックが解除されたことに応じて、内蔵ストロボ１１６が収納位置から発光位置へとポップアップする。すなわち、この場合のポップアップボタン１１８は、ユーザの押圧によって、直接的に内蔵ストロボ１１６の位置を移動させることできる。
【００３３】
なお、本実施形態では、ポップアップボタン１１８を用いて内蔵ストロボ１１６の位置を移動させることができるような構成であったが、レバーやスイッチなど、ボタン形状以外の操作部を採用するような構成であってもよい。
【００３４】
また、本実施形態ではポップアップボタン１１８の操作に応じて、表示部１１５に後述する内蔵ストロボ１１６や外部ストロボ２００に関わるエラー画面や、ストロボの発光の可否を設定するための画面を表示することもできる。この詳細については後述する。
【００３５】
操作部１１９は、スイッチ、ボタン、ダイヤル、タッチパネルなど、カメラ１００に対して、ユーザが各種の指示や設定を行うための操作部からなる入力デバイス群である。例えば、電源スイッチやレリーズボタン、メニューボタン、方向ボタン、実行ボタンなどが含まれる。なお、表示部１１５が静電容量式のタッチパネルであって、表示部１１５に表示されたＵＩを操作選択することで、操作部１１９を操作した際と同様の情報入力ができるような構成であっても良い。
【００３６】
また、操作部１１９には撮影モード切替スイッチが設けられている。ユーザは、この撮影モード切替スイッチを操作することで、被写体を撮像する際の撮像モードを設定することができる。なお、本実施形態で設定できる撮像モードとしては、オートモードやシーンモード、広ダイナミックレンジの画像を取得するＨＤＲ（Ｈｉｇｈ  Ｄｙｎａｍｉｃ  Ｒａｎｇｅ）モード、ユーザの手動操作によって各種の設定をおこなうマニュアルモードなどがある。なお、オートモードやシーンモード、ＨＤＲモードでは、カメラ１００に設定されている既定の露出条件やストロボに関する各種の設定など適用される。
【００３７】
アクセサリシュー１２０は、発光部２０７を内蔵した外部ストロボ２００などの発光装置をカメラ１００に対して取り付けることができる取り付け部である。なお、アクセサリシュー１２０には、外部ストロボ２００以外に、電子ビューファインダやＧＰＳユニットなどの電子機器を取り付けることもできる。
【００３８】
アクセサリシュー１２０の内部と、後述する外部ストロボ２００のストロボ接続部２０１には、それぞれ複数の端子からなる端子群が設けられている。そして、それぞれの端子群同士が電気的に接続されることで、カメラ１００と外部ストロボ２００との通信が可能となる。
【００３９】
なお、本実施形態では、カメラ１００と外部ストロボ２００との通信を検出することで、カメラ１００に対する外部ストロボ２００の取り付けを検出するような構成であるが、これに限定されるものではない。例えば、外部ストロボ２００が取り付けられた際に押圧状態となる、接続検知用のピンをアクセサリシュー１２０に設け、当該ピンの押圧を検知することで、カメラ１００に対する外部ストロボ２００の取り付けを検出するような構成であってもよい。その他、カメラ１００に対する外部ストロボ２００の取り付けを検出する手段としてはどのような構成を採用してもよい。
【００４０】
以下、図１を参照して発光部（第１の発光手段）２０７を内蔵した外部ストロボ２００の基本構成について説明する。外部ストロボ２００は、発光部２０７にキセノン管やＬＥＤ（Ｌｉｇｈｔ  Ｅｍｉｔｔｉｎｇ  Ｄｉｏｄｅ）などを用いて、被写体を照明する発光装置である。なお、以下の説明では、ＣＰＵ１１１とストロボ制御部２０２と間において、適宜通信がおこなわれているものとする。
【００４１】
カメラ１００のアクセサリシュー１２０と外部ストロボ２００のストロボ接続部２０１とが接続され、カメラ１００と外部ストロボ２００の電源がオンされた状態において、外部ストロボ２００とカメラ１００とが電気的に接続される。この状態で、カメラ１００と外部ストロボ２００のそれぞれの端子群が接続され、ＣＰＵ１１１とストロボ制御部２０２とが通信可能となる。
【００４２】
ストロボ制御部２０２は、外部ストロボ２００の動作を統括的に制御する制御部である。また、ストロボ制御部２０２は、カメラ１００と外部ストロボ２００とが接続された状態で、ＣＰＵ１１１との信号の送受信が可能である。ストロボ制御部２０２は、ＣＰＵ１１１との通信を検出すると、外部ストロボ２００に関する情報をＣＰＵ１１１に送信する。なお、ＣＰＵ１１１が外部ストロボ２００のストロボ制御部２０２との通信の失敗を検出した場合、ＣＰＵ１１１は外部ストロボ２００がカメラ１００に取り付けられていない状態であると判定する。
【００４３】
充電回路２０４は、ストロボ電源部２０３から出力された出力電圧を所定の電圧まで昇圧する回路である。メインコンデンサ２０５は、充電回路２０４から出力された所定の電圧に対応した電荷を充電するための充電手段である。放電回路２０６は、メインコンデンサ２０５に充電された電荷を発光部２０７に供給するための回路である。
【００４４】
カメラ１００の電源がオンされた状態において、充電回路２０４は、ストロボ制御部２０２からの指示により、ストロボ電源部２０３から出力された出力電圧を所定の電圧まで昇圧し、当該所定の電圧に対応した電荷がメインコンデンサ２０５に充電される。
【００４５】
ストロボ制御部２０２が、メインコンデンサ２０５の電圧が所定の電圧まで充電されたことを計測したら、放電回路２０６を介してメインコンデンサ２０５から発光部２０７に対して、所定の電圧に対応した電荷が供給される。
【００４６】
発光部２０７は供給された電荷に対応した発光量での閃光発光を実行し、被写体を照明することが可能となる。なお、上述した所定の電圧とは、被写体を適正に照明するための発光量を得るために必要となる電圧であって、画像処理部１０８における調光演算処理の結果に基づいて算出される。
【００４７】
また、被写体の撮像に同期させて外部ストロボ２００を発光させる場合、ストロボ制御部２０２によって、メインコンデンサ２０５に所定の電圧に対応した電荷が充電されたか否かが判定される。具体的には、メインコンデンサ２０５の充電電圧が所定の電圧まで充電されたか否かを判定することで、メインコンデンサ２０５に所定の電圧に対応した電荷の充電がされたか否かを判定する。本実施形態のカメラ１００は、メインコンデンサ２０５の電圧が所定の電圧まで充電されたと判定された状態で、外部ストロボ２００の発光をおこなうことができる。
【００４８】
外部ストロボ２００の外装部分には、外部ストロボ２００の発光に関する情報を設定することができる外部ストロボ用の操作部（不図示）が設けられている。ユーザは、この外部ストロボ用の操作部を操作することで、外部ストロボ２００に関する種々の設定をおこなうことができる。設定された情報はＣＰＵ１１１からの要求に応じて外部ストロボ２００からカメラ１００へと送信され、当該情報に基づいて、表示部１１５に外部ストロボ２００用の設定画面が表示される。この詳細は後述する。
【００４９】
以下、内蔵ストロボ１１６または外部ストロボ２００を発光させて被写体を撮像する場合の、カメラ１００の動作について説明する。なお、以下の説明においては、取得された画像（データ）や露出量、評価値などの情報は、取得後にメモリ１０９に記録され、ＣＰＵ１１１によって適宜読み出しが実行されるものとする。また、以下の説明は、内蔵ストロボ１１６または外部ストロボ２００の発光に関わる設定が、後述するストロボ設定処理によって事前に完了して場合を想定している。
【００５０】
カメラ１００の電源がオンされた状態でユーザによって操作部１１９のレリーズボタンが操作されると、ＣＰＵ１１１は、操作部１１９のレリーズボタンがＳＷ１状態（例えば、半押し状態）にされたか否かを判定する。
【００５１】
この判定によって、レリーズボタンがＳＷ１状態であると判定されると、画像処理部１０８は、事前に取得された画像データ（スルー画像など）に基づいてフォーカス処理（ＡＦ処理）を実行する。本実施形態のＡＦ処理としては、画像の輝度成分のコントラスト情報からＡＦ評価値を算出し、当該ＡＦ評価値に基づいて、レンズ制御部１０３が撮像レンズ１０２の各レンズ位置を設定する。
【００５２】
なお、本実施形態では撮像素子１０６によって取得したデジタル画像データを用いて、ＡＦ処理をおこなうような構成であるが、これに限定されるものではない。例えば、カメラ１００にＡＦセンサを設け、当該ＡＦセンサを用いてＡＦ処理をおこなうような構成であってもよい。また、ＡＦ評価値の算出方法については一般的なものであればどのような方法を採用してもよい。
【００５３】
また、レリーズボタンがＳＷ１状態であると判定されると、画像処理部１０８は測光部１１２で事前に取得された画像データに基づいて測光演算を行う。測光演算の方法としては、画像の一画面分を複数のブロックに分割し、これらのブロックごとに平均測光値を算出する。そして、全ブロックの平均測光知を積分して代表測光値を算出する。
【００５４】
本実施形態では、この代表測光値を被写体の輝度情報として、以降の処理を実行するような構成であるがこれに限定されるものではない。例えば、スポット測光などの測光方法を用いて被写体の輝度情報を算出する方法であっても勿論よい。すなわち、以降の処理に用いる被写体の輝度情報を算出する方法としては、公知の方法であればどのようなものを用いてもよい。
【００５５】
次に、画像処理部１０８は、先に算出した被写体の輝度情報をメモリ１０９から読み出し、当該輝度情報に基づいて、被写体が適正な明るさとなるような露出量をカメラ１００に設定する（ＡＥ処理）。なお、本実施形態の露出量とは、取得する画像の明るさを設定するための値であって、絞り値や露光時間、ゲイン量などの露出条件を変化させることによって設定される。
【００５６】
次に、画像処理部１０８は、先に算出した被写体の輝度情報と露出条件とをメモリ１０９から読み出し、内蔵ストロボ１１６または外部ストロボ２００の発光量を算出するための調光演算を実行する。以上説明した種々の処理は、どのような順番でおこなってもよいし、それぞれを並行しておこなうような構成であってもよい。
【００５７】
次に、ＣＰＵ１１１は、操作部１１９のレリーズボタンがＳＷ２状態（例えば、ユーザの操作による全押状態）にされたか否かを判定する。レリーズボタンがＳＷ２状態であると判定された場合、ＣＰＵ１１１は、内蔵ストロボ１１６または外部ストロボ２００に対して発光を開始する旨の信号を送信する。そして、内蔵ストロボ１１６または外部ストロボ２００の発光と同期させて被写体を撮像する。
【００５８】
当該撮像によって取得されたアナログ画像データは、前述した種々の処理と変換が施された状態で、メモリ１０９、記録媒体１１０に記録されると同時に表示部１１５に表示される。以上が、内蔵ストロボ１１６または外部ストロボ２００を発光させて被写体を撮像する際の動作である。
【００５９】
ここで、最近のカメラは、カメラ各部の高機能化に伴い、カメラで設定可能な項目（以下、設定項目と称す）は増加傾向にある。これらの設定項目を一つの設定画面内に配置すると、設定画面が煩雑になり、ユーザによるカメラの誤操作の原因やユーザによるカメラの直感的な操作の弊害となってしまう。
【００６０】
そこで、関連する設定項目ごとにまとめた設定画面を表示部に表示させることが一般的である。ユーザは、カメラに備えられた操作部などを操作して、自身が操作したい任意の設定項目を含む設定画面を表示部に表示させる。そして、当該項目を選択することで、カメラに関する任意の設定をおこなうことができる。
【００６１】
なお、設定画面に振り分けた設定項目の設定頻度に応じて、各設定画面を表示する順序を異ならせることが知られている。具体的には、ユーザが表示部に設定画面を表示させるための操作を行った際に、設定頻度が高い設定項目をまとめた設定画面を最初に表示させる。例えば、設定頻度が高い設定項目としては、露出条件や撮像回数、撮像モード、測光エリアの設定などがある。
【００６２】
また、設定頻度の低い設定項目をまとめた設定画面は、ユーザが設定画面を移行させるための操作をおこなってから表示部に表示させる。例えば、前述した露出条件や撮像回数などの設定項目と比較して相対的に設定頻度の低い項目として、ストロボなどの発光手段に関する設定項目などがある。
【００６３】
また、各設定画面内においても表示が煩雑になるのを防ぐために、設定項目の分類に応じて、複数の設定画面を複数の階層に分けて表示部に表示させることが一般的である。例えば、ある階層の設定画面内で内蔵ストロボと外部ストロボとを選択する設定項目を表示させ、当該階層よりも深い階層の設定画面に、内蔵ストロボや外部ストロボの詳細を設定するための設定項目を表示させる。以上説明したように、カメラ各部の設定に関する各設定画面を表示する順序や階層を分けることで、設定画面が煩雑になることを抑制することが知られている。
【００６４】
しかしながら、上述したように、発光手段に関する設定画面を表示部に表示させるには、複数の設定画面を経由する必要がある。さらに、発光手段に関する設定画面のうち、ユーザが意図する設定項目を設定するには、複数の階層を経由しなければならない場合がある。このように、発光手段に関する設定画面のうち、ユーザが意図する設定画面を表示部に表示させるには、ユーザによる煩雑な操作が必要な場合がある。
【００６５】
そこで、本実施形態のカメラ１００は、内蔵ストロボ１１６をポップアップさせるためのポップアップボタン１１８に、内蔵ストロボ１１６または外部ストロボ２００に関する設定画面を表示させる機能を与える。以下、この詳細について図２を参照して説明する。図２は、本発明を実施した撮像装置の実施形態であるカメラ１００のストロボ設定処理を説明するフローチャートである。
【００６６】
ユーザによるポップアップボタン１１８の操作に応じてストロボ設定処理が開始されると、ステップＳ１０１でＣＰＵ（第１の判定手段）１１１は、カメラ１００に外部ストロボ２００が取り付けられているか否かを判定する。具体的には、ＣＰＵ１１１は、ストロボ制御部２０２に対して所定の信号を送信し、ストロボ制御部２０２からの返信があるか否かを判定する。すなわち、ＣＰＵ１１１は外部ストロボ２００との通信が可能であるか否かを判定する。ＣＰＵ１１１は、外部ストロボ２００との通信が可能であると判定した場合に、カメラ１００に外部ストロボ２００が取り付けられた状態であると判定する。また、ＣＰＵ１１１は、外部ストロボ２００との通信が可能でないと判定した場合に、カメラ１００に外部ストロボ２００が取り付けられていない状態であると判定する。
【００６７】
以下、カメラ１００に外部ストロボ２００が取り付けられていない状態である（ステップＳ１０１でＮＯ）と判定された場合の処理について説明する。ステップＳ１０２でＣＰＵ１１１は、ストロボ状態検出部（検出手段）１１７によって、ポップアップボタン１１８がオンされた際の内蔵ストロボ１１６の状態を検出する。具体的には、ポップアップボタン１１８がオンされた際に、内蔵ストロボ１１６の位置が収納位置（ポップダウン状態）であったか、発光位置（ポップアップ状態）であったかを検出する。
【００６８】
内蔵ストロボ１１６がポップダウン状態である（ステップＳ１０２でＹＥＳ）と判定された場合は、ステップＳ１０３でＣＰＵ（移動制御手段）１１１は、内蔵ストロボ１１６の位置を収納位置から発光位置へと移動させる。すなわち、内蔵ストロボ１１６をポップアップさせる。内蔵ストロボ１１６のポップアップが完了したら、ストロボ設定処理を終了する。
【００６９】
内蔵ストロボ１１６がポップアップ状態である（ステップＳ１０２でＮＯ）と判定された場合はステップＳ１０４に進む。ステップＳ１０４でＣＰＵ（第２の判定手段）１１１は、カメラ１００に設定されている撮像モードが、内蔵ストロボ１１６および外部ストロボ２００に関わる設定ができないモードであるか否かを判定する。
【００７０】
内蔵ストロボ１１６および外部ストロボ２００に関わる設定ができないモードとは、内蔵ストロボ１１６や外部ストロボ２００の発光に関する設定が予め規定されている撮像モードである。例えば、撮像モードがオートモードやシーンモード、ＨＤＲモードである場合は、予め既定された発光に関する設定に基づいて内蔵ストロボ１１６や外部ストロボ２００を発光する。この場合、ユーザの操作によって、内蔵ストロボ１１６や外部ストロボ２００の発光に関する設定をおこなうことができない。
【００７１】
したがって、本実施形態では、カメラ１００に設定されている撮像モードがストロボの設定ができないモードに設定されている（ステップＳ１０４でＹＥＳ）と判定された場合は、表示部１１５にエラー表示をおこなう。具体的には、ステップＳ１０５でＣＰＵ（表示制御手段）１１１は、図３（ａ）に図示するように、表示部１１５に内蔵ストロボ１１６または外部ストロボ２００の設定ができない旨の画面であるエラー表示画面を表示させる。なお、図３は、本発明を実施した撮像装置の実施形態であるカメラ１００の表示部に１１５に表示可能な画面を例示的に説明した図であって、図３（ａ）は、ＨＤＲモードが設定されている場合に表示される画面を例示的に説明している。この構成によって、カメラ１００に設定されている撮像モードがストロボの設定ができないモードである場合に、ユーザは、内蔵ストロボ１１６および外部ストロボ２００の設定の可否を確認することができる。
【００７２】
図２に戻り、設定されている撮像モードがストロボの設定ができるモードに設定されている（ステップＳ１０４でＮＯ）と判定された場合はステップＳ１０６に進む。そして、ステップＳ１０６でＣＰＵ（第３の判定手段）１１１は、カメラ１００の設定が、ストロボの発光が可能な設定であるか否かを判定する。具体的には、ＣＰＵ１１１は、予めカメラ１００に設定されているストロボの発光設定が「発光しない（発光無し）」に設定されているか否かを判定する。
【００７３】
本実施形態においてユーザは、内蔵ストロボ１１６または外部ストロボ２００の発光の可否を設定するための設定画面に基づいて、内蔵ストロボ１１６または外部ストロボ２００の発光の可否を設定することができる。
【００７４】
図３（ｂ）は、当該発光の可否を設定するための設定画面を例示的に説明する図である。図３（ｂ）に図示するように、本実施形態では、設定項目として、内蔵ストロボ１１６または外部ストロボ２００を発光することができる「発光する」と、内蔵ストロボ１１６または外部ストロボ２００を発光しない「発光しない」とを設定することができる。
【００７５】
なお、図３（ｂ）に図示するような設定項目に加えて、強制的に発光をおこなう設定項目や、測光演算の結果に応じて自動的に発光の可否を設定するような設定項目を設けるような構成であってもよい。また、内蔵ストロボ１１６または外部ストロボ２００の発光の可否を、「強制非発光モード」や「強制発光モード」のような発光モードを選択することで設定するような構成であってもよい。
【００７６】
図２に戻る。ストロボの発光の可否が「発光しない」に設定されている（ステップＳ１０６でＹＥＳ）と判定された場合、ステップＳ１０７でＣＰＵ（表示制御手段）１１１は、表示部１１５にストロボの発光の可否に関わる設定画面を表示させる。この構成によって、カメラ１００に設定されているストロボの発光の可否が「発光しない」に設定されている場合に、ユーザは、内蔵ストロボ１１６および外部ストロボ２００の発光の可否の再確認と再設定を簡単におこなうことができる。
【００７７】
ストロボの発光の可否が「発光する」に設定されている（ステップＳ１０６でＮＯ）と判定された場合、ステップＳ１０８でＣＰＵ（表示制御部）１１１は、表示部１１５に内蔵ストロボ１１６用の設定画面（第２の画面）を表示させる。
【００７８】
図３（ｃ）は、内蔵ストロボ１１６用の設定画面を例示的に説明する図である。図３（ｃ）に図示するように、本実施形態では、内蔵ストロボ１１６用の設定画面に基づいて、発光モード、ワイヤレス設定、発光量、シンクロ設定などを設定することができる。各設定項目の詳細についての説明は省略する。なお、内蔵ストロボ１１６用の設定画面としては図３（ｃ）に図示したものに限定されるものではなく、内蔵ストロボ１１６の設定に関する情報であれば、どのような項目を表示するような構成であってもよい。
【００７９】
表示部１１５に内蔵ストロボ１１６用の設定画面が表示された状態で、ユーザが操作部１１９を操作して各項目を選択すると、当該選択した項目に応じた詳細設定画面（変更画面）が表示部１１５に表示される。図３（ｄ）は当該変更画面を例示的に説明する図であって、図３（ｃ）の内蔵ストロボ１１６の発光モードに関する変更画面を示している。なお、設定できる発光モードの詳細な説明については省略する。
【００８０】
図２に戻り、カメラ１００に外部ストロボ２００が取り付けられた状態である（ステップＳ１０１でＹＥＳ）と判定された場合の処理について説明する。カメラ１００に外部ストロボ２００が取り付けられている状態である（ステップＳ１０１でＹＥＳ）と判定された場合はステップＳ１０９に進む。ステップＳ１０９でＣＰＵ（第２の判定手段）１１１は、カメラ１００に設定されている撮像モードが、内蔵ストロボ１１６および外部ストロボ２００に関わる設定ができない撮像モードであるか否かを判定する。以降のステップＳ１１０〜Ｓ１１２の処理は、前述したステップＳ１０５〜Ｓ１０７と同様なので説明は省略する。
【００８１】
ステップＳ１１３でＣＰＵ１１１は、ストロボ制御部２０２から外部ストロボ２００に関する情報を受信する。この外部ストロボ２００に関する情報とは、図３（ｃ）に図示したような各項目に関する情報の他に、内蔵ストロボ１１６では設定できない情報を含んでいる。この情報としては、例えば、外部ストロボ２００を発光する際の光の照射角度などに関する情報である。受信した外部ストロボ２００に関する情報はメモリ１０９に記録される。
【００８２】
なお、外部ストロボ２００に関する情報は、ステップＳ１１３の処理がおこなわれる際に外部ストロボ２００に設定されている情報であって、当該情報は、外部ストロボ用の操作部を操作することによって事前に設定されたものである。また、外部ストロボ２００の動作状態がスリープ状態である場合は、ＣＰＵ１１１は、外部ストロボ２００の動作状態を起動状態へと変更した後に、外部ストロボ２００に関する情報を取得する。なお、スリープ状態とは、外部ストロボ２００の動作状態が起動状態である場合よりも電力の消費が少ない状態であって、外部ストロボ２００において所定の動作が停止させた状態である。
【００８３】
次に、ステップＳ１１４でＣＰＵ（表示制御部）１１１は、先に受信した外部ストロボ２００に関する情報をメモリ１０９から読み出し、当該情報に基づいて、表示部１１５に外部ストロボ２００用の設定画面（第１の画面）を表示させる。
【００８４】
図３（ｅ）は、外部ストロボ２００用の設定画面を例示的に説明する図である。図３（ｅ）に図示するように、本実施形態の外部ストロボ２００用の設定画面は、内蔵ストロボ１１６用の設定画面に加えて、前述した外部ストロボ２００を発光する際の光の照射角度を設定する項目などを加えた画面である。すなわち、外部ストロボ２００用の設定画面は、基本的には内蔵ストロボ１１６用の設定画面と共通であって、外部ストロボ２００のみで設定可能な設定項目が加えられた設定画面である。
【００８５】
なお、本実施形態では、内蔵ストロボ１１６用の設定画面の設定項目に外部ストロボ２００を使用する場合のみで設定可能な項目を表示しないような構成であるが、これに限定されるものではない。例えば、外部ストロボ２００を使用する場合の実に設定可能な項目と内蔵ストロボ１１６用の設定画面に表示させ、当該設定項目をグレーアウトさせておくような構成であってもよい。以上が、本実施形態のストロボ設定処理の説明である。
【００８６】
以上説明したように、本実施形態のカメラ１００は、ポップアップボタン１１８を用いて内蔵ストロボ１１６または外部ストロボ２００に関する設定画面を表示部１１５に表示することができる。そして、ポップアップボタン１１８が操作された際に、カメラ１００に外部ストロボ２００が取り付けられているか否かに応じて、表示部１１５に内蔵ストロボ１１６用または外部ストロボ２００用の設定画面のどちらを表示させるかを切り換えることができる。この構成によって、ユーザは、内蔵ストロボ１１６や外部ストロボ２００に関わる設定の変更を意図した際に、他の設定項目を設定するための設定画面を経由することなく、ストロボの設定画面を表示部１１５に表示することができる。また、ユーザは、複数の階層に分かれた複数のストロボの設定画面の中から、ユーザが意図する設定画面を、表示部１１５に簡単に表示することができる。したがって、本実施形態のカメラ１００は、ユーザによる煩雑な操作を必要とせずに、発光手段の設定に関する画面を表示することができる。
【００８７】
また、本実施形態では、外部ストロボ２００がカメラ１００に取り付けられていない状態であって内蔵ストロボ１１６がポップアップしている状態でポップアップボタン１１８を操作すると、内蔵ストロボ１１６用の設定画面を表示部１１５に表示できる。そして、内蔵ストロボ１１６がポップダウンしている状態でポップアップボタン１１８を操作すると、内蔵ストロボ１１６が発光位置にポップアップすることができる。
【００８８】
このように、本実施形態では、ポップアップボタン１１８を操作した際の内蔵ストロボ１１６の位置に応じて、内蔵ストロボ１１６用の設定画面を表示させるか、内蔵ストロボ１１６をポップアップさせるかを切り換えている。この構成によって、本実施形態のカメラ１００では、内蔵ストロボ１１６用の設定画面を表示させるための操作部を新たに設けることなく、当該設定画面を表示部１１５に表示させることができる。
【００８９】
また、本実施形態では、外部ストロボ２００を取り付てることが可能なカメラ１００の構成について説明したが、これに限定されるものではなく、例えば、カメラ１００が外部ストロボ２００を取り付けることができない構成であってもよい。この場合、前述したステップＳ１０１、Ｓ１０９〜Ｓ１１４の処理をおこなわないような構成であればよい。
【００９０】
さらに、本実施形態では、カメラ１００に設定されている撮像モードや、ストロボの発光の可否に応じて、ストロボ設定ができない旨を通知するエラー表示画面や、ストロボの発光有無を設定するための設定画面を表示部１１５に表示させることができる。この構成によって、ユーザは、煩雑な操作を必要とせずに、内蔵ストロボ１１６や外部ストロボ２００に関する現在の設定の確認と当該設定の変更をおこなうことができる。
【００９１】
以上説明したように、本実施形態のカメラ１００は、内蔵ストロボ１１６の位置、外部ストロボ２００の取り付けの有無、撮像モード、ストロボの発光の可否などの条件に応じて、表示部１１５に表示させる設定画面を切り換えることができる。これらの構成によって、本実施形態のカメラ１００は、ユーザの意図に対する、内蔵ストロボ１１６および外部ストロボ２００に関する設定の操作性を向上させることができる。
【００９２】
以上、本発明の好ましい実施形態について説明したが、本発明はこれらの実施形態に限定されず、その要旨の範囲内で種々の変形及び変更が可能である。本実施形態の内蔵ストロボ１１６はポップアップ可能なものを採用した場合について説明したが、これに限定されるものではない。例えば、カメラ１００の所定の位置で回動可能な内蔵ストロボを採用するような構成であってもよい。この場合、カメラ１００から発光部が露出する内蔵ストロボの位置が発光位置に該当し、発光部が隠れる内蔵ストロボの位置が収納位置に該当する。
【００９３】
また、本実施形態では、内蔵ストロボ１１６用の設定画面と外部ストロボ２００用の設定画面、ストロボの発光有無を設定する画面とがそれぞれ異なるような構成について説明したが、これに限定されるものではない。例えば、上述したそれぞれの設定画面が同一であってもよい。
【００９４】
また、前述した実施形態では、カメラ１００の内部に設けられた制御部や処理部などが互いに連携して動作することによって、カメラ１００の動作を制御するような構成であるが、これに限定されるものではない。前述した図２のフローに従ったプログラムを予めメモリ１０９に格納しておき、当該プログラムをＣＰＵ１１１が実行することで、カメラ１００の動作を制御するような構成であってもよい。
【００９５】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【００９６】
（その他の実施形態）
また、本発明は、以下の処理を実行することによっても実現される。すなわち、上述した実施形態の機能を実現するソフトウェア（プログラム）を、ネットワークまたは各種記録媒体を介してシステム或いは装置に供給する。そして、そのシステム或いは装置のコンピュータ（またはＣＰＵやＭＰＵ等）がプログラムを読み出して実行する処理である。
【符号の説明】
【００９７】
１００  デジタルカメラ（撮像装置）
１１１  カメラ制御部（第１の判定手段、表示制御手段、移動制御手段）
１１６  内蔵ストロボ（第２の発光手段）
１１７  ストロボ状態検出部（検出手段）
１１８  ポップアップボタン（操作部）
２００  外部ストロボ（発光装置）
２０７  発光部（第１の発光手段）
【図１】
0006632184.tif 000002
【図２】
0006632184.tif 000003
【図３】
0006632184.tif 000004